【手続補正書】
【提出日】令和1年11月12日(2019.11.12)
【手続補正１】
【補正対象書類名】特許請求の範囲
【補正対象項目名】全文
【補正方法】変更
【補正の内容】
【特許請求の範囲】
【請求項１】
フィルタ媒体パックを形成する方法であって、前記方法は、
ひだ付きフィルタ媒体の連続した条片を巻き取りコアの周りに巻き取り軸を中心に巻き取るステップであって、前記フィルタ媒体の条片は、互いに反対側の第１縁と第２縁の間を延びていて、複数の山と谷を画定している波形シートへ機能可能に固定された第１シートによって形成されている複数のひだを含んでおり、前記ひだ付きフィルタ媒体の条片は、前記波形シートが前記巻き取りコアに隣接し前記第１シートの半径方向内側にある状態で巻き取られ、前記ひだ付きフィルタ媒体の条片は、概して前記第１縁及び前記第２縁に平行で前記巻き取り軸に垂直である給送軸を画定しており、前記巻き取りコアは、概して前記巻き取り軸に平行に延びる互いに反対側の第１側面及び第２側面を有しており、前記巻き取りコアは、間に短軸を画定する互いに反対側の第１面及び第２面を画定しており、前記第１側面及び前記第２側面は、概して前記第１面と前記第２面の間に延びていて、間に長軸を画定している、ひだ付きフィルタ媒体の連続した条片を巻き取るステップと、
前記巻き取りコアと前記フィルタ媒体の条片の間に第１支持体ビードを塗布するステップであって、前記第１支持体ビードは、概して前記フィルタ媒体の条片の前記第１縁及び前記第２縁に垂直に前記巻き取り軸に平行に延び、前記第１支持体ビードは、前記巻き取りコアの前記第１側面に近接して配置され、前記第１支持体ビードは、前記巻き取りコアの第１側面に近接する前記波形シートの山の互いに反対側の少なくとも２つの谷の断面を充填し、前記第１支持体ビードは、巻き取り中の前記フィルタ媒体の条片での張力に起因して前記巻き取りコアの前記第１側面から前記波形シートへ加わる半径方向の向きを持った荷重を分散させる、第１支持体ビードを塗布するステップと、
を備えている、方法。
【請求項２】
前記波形シートと前記巻き取りコアの間の流体バイパスを防止するため、概して前記フィルタ媒体の条片の前記第１縁及び前記第２縁に平行に前記波形シートと前記巻き取りコアの間にシールビードを塗布するステップ、を更に備えている請求項１に記載の方法。
【請求項３】
前記第１支持体ビードは、前記巻き取りコアと前記波形シートの間の接面長さの少なくとも３３％の長さを延びる、請求項１に記載の方法。
【請求項４】
前記第１支持体ビードは前記巻き取りコアと前記波形シートの間の接面長さの全長さを延びる、請求項１に記載の方法。
【請求項５】
前記フィルタ媒体の第１層より多くの層が前記巻き取りコアの周りに巻き取られる前に、前記第１支持体ビードを部分的に硬化させる、請求項１に記載の方法。
【請求項６】
前記第１支持体ビードは前記波形シートと前記支持体コアの前記第１側面の間に接面を提供し、前記第１支持体ビードは前記巻き取り軸に垂直に取った断面で見て前記第１側面の少なくとも５０％と協働する、請求項１に記載の方法。
【請求項７】
前記支持体コアの前記第２側面に近接して前記巻き取り軸に平行に第２支持体ビードを塗布するステップ、を更に備えている請求項１に記載の方法。
【請求項８】
前記第１支持体ビードを塗布する前記ステップは、巻き取るステップの前に、前記第１支持体ビードを形成する２つの別々の材料条片をひだ付きフィルタ媒体の条片へ分配することによって起こり、巻き取るステップの後、前記２つの別々の材料条片は単一の連続した材料条片となって前記第１支持体ビードを形成する、請求項１に記載の方法。
【請求項９】
フィルタ媒体パックであって、前記フィルタ媒体パックは、
概して巻き取り軸に平行に延びる互いに反対側の第１側面及び第２側面を有している巻き取りコアであって、間に前記巻き取り軸に垂直の方向に短軸を画定する互いに反対側の第１面及び第２面を画定しており、前記第１側面及び前記第２側面は、概して前記第１面と前記第２面の間に延びていて、間に前記巻き取り軸に垂直の方向に長軸を画定している、巻き取りコアと、
ひだ付きフィルタ媒体の複数層を形成するように前記巻き取りコアの周りに前記巻き取り軸を中心に巻き取られるひだ付きフィルタ媒体の連続した条片であって、当該フィルタ媒体の条片は、互いに反対側の第１縁と第２縁の間を延びていて、複数の山と谷を画定している波形シートへ機能可能に固定された第１シートによって形成されている複数のひだを含んでおり、当該ひだ付きフィルタ媒体の条片は、前記巻き取りコアに隣接していて前記第１シートの半径方向内側になる波形シートを有している、ひだ付きフィルタ媒体の連続した条片と、
前記巻き取りコアと前記フィルタ媒体の条片の間の第１支持体ビードであって、当該第１支持体ビードは、概して前記フィルタ媒体の条片の前記第１縁及び前記第２縁に垂直に前記巻き取り軸に平行に延びており、当該第１支持体ビードは、前記巻き取りコアの前記第１側面に近接して配置され、当該第１支持体ビードは、前記巻き取りコアの前記第１側面に近接する前記波形シートの山の互いに反対側の少なくとも２つの谷の断面を充填している、第１支持体ビードと、
を備えている、フィルタ媒体パック。
【請求項１０】
前記フィルタ媒体パックは、前記波形シートと前記巻き取りコアの間の流体バイパスを防止するために、概して前記フィルタ媒体の条片の前記第１縁及び前記第２縁に平行に前記波形シートと前記巻き取りコアの間にシールビードを更に備えており、前記シールビードは、連続的であり、前記複数の層間に配置されていて、一方の層の前記波形シートと隣接層の前記第１シートの間に形成されているひだを密封する、請求項９に記載のフィルタ媒体パック。
【請求項１１】
前記第１支持体ビードは、前記巻き取りコアと前記波形シートの間の接面長さの少なくとも３３％の長さを延びている、請求項９に記載のフィルタ媒体パック。
【請求項１２】
前記第１支持体ビードは前記巻き取りコアと前記波形シートの間の接面長さの全長さを延びている、請求項９に記載のフィルタ媒体パック。
【請求項１３】
前記第１支持体ビードは前記波形シートと前記支持体コアの前記第１側面の間に接面を提供しており、前記第１支持体ビードは前記巻き取り軸に垂直に取った断面で見て前記第１側面の少なくとも５０％と協働している、請求項９に記載のフィルタ媒体パック。
【請求項１４】
前記支持体コアの前記第２側面に近接して前記巻き取り軸に平行に第２支持体ビードを更に備えている請求項９に記載のフィルタ媒体パック。
【請求項１５】
前記第１支持体ビードは、前記ひだ付きフィルタ媒体の条片の先導端を前記巻き取りコアへ固定している、請求項９に記載のフィルタ媒体パック。
【請求項１６】
前記複数の層の前記第１縁は第１流れ面を形成し、前記複数の層の前記第２縁は第２流れ面を形成している、請求項９に記載のフィルタ媒体パック。
【請求項１７】
フィルタ要素を形成する方法であって、前記方法は、
ひだ付きフィルタ媒体の連続した条片を巻き取りコアの周りに巻き取り軸を中心に巻き取って前記ひだ付きフィルタ媒体の複数の層を形成するステップであって、前記フィルタ媒体の条片は、互いに反対側の第１縁と第２縁の間を延びていて、波形シートへ機能可能に固定された第１シートによって形成されている複数のひだを含んでおり、前記波形シートは、複数の山と谷を画定している、ひだ付きフィルタ媒体の連続した条片を巻き取るステップと、
巻き取るステップの間に前記ひだ付きフィルタ媒体の隣接する層間に接着剤の少なくとも１つの第１ステッチビードを塗布して、第１層の第１シートが隣接する第２層の波形シートへ固定されるようにするステップであって、前記少なくとも１つの第１ステッチビードは、当該少なくとも１つの第１ステッチビードが前記隣接する第２層の前記波形シートによって形成されている谷を完全に充填することのないようにして塗布される、少なくとも１つの第１ステッチビードを塗布するステップと、
を備えている方法。
【請求項１８】
フィルタ媒体パックであって、前記フィルタ媒体パックは、
ひだ付きフィルタ媒体の複数の層を形成するように巻き取りコアの周りに巻き取り軸を中心に巻き取られているひだ付きフィルタ媒体の連続した条片であって、当該ひだ付きフィルタ媒体の条片は、互いに反対側の第１縁と第２縁の間を延びていて、波形シートへ機能可能に固定された第１シートによって形成されている複数のひだを含んでいる、ひだ付きフィルタ媒体の連続した条片と、
第１層の第１シートが隣接する第２層の波形シートへ固定されるようにする前記ひだ付きフィルタ媒体の隣接する層間の接着性材料の少なくとも１つの第１ステッチビードであって、当該少なくとも１つの第１ステッチビードは、当該少なくとも１つの第１ステッチビードが隣接する第２層の前記波形シートによって形成されている谷を完全に充填しないようにして塗布されている、接着性材料の少なくとも１つの第１ステッチビードと、
を備えている、フィルタ媒体パック。